【手続補正書】
【提出日】平成26年6月18日(2014.6.18)
【手続補正１】
【補正対象書類名】特許請求の範囲
【補正対象項目名】全文
【補正方法】変更
【補正の内容】
【特許請求の範囲】
【請求項１】
筒状からなる絶縁容器と、前記絶縁容器の一方側端部を閉塞する固定側端板と、前記絶縁容器の他方側端部を閉塞する可動側端板と、前記固定側端板を貫通して配設された固定側通電軸の先端部に設けられた固定側電極と、前記可動側端板を貫通して配設された可動側通電軸の先端部に前記固定側電極と相対向して設けられた可動側電極と、前記絶縁容器の端部より内方側で前記絶縁容器の端部側の内周面より内周側に突出する段部と、前記固定側電極と前記可動側電極の周囲を囲繞するように配設され、端部は前記段部のある範囲内に配置されたアークシールドと、前記固定側端板に取り付けられ前記絶縁容器の端部に前記アークシールドと相対向するように配置され、前記絶縁容器の前記内周面から内径側に離れるように傾斜部を有し、前記傾斜部の先端部は前記段部より内径側に位置する第１の電界緩和シールドと、前記可動側端板に取り付けられ前記絶縁容器の端部に前記アークシールドと相対向するように配置された第２の電界緩和シールドとを備えたことを特徴とする真空バルブ。
【請求項２】
筒状からなる絶縁容器と、前記絶縁容器の一方側端部を閉塞する固定側端板と、前記絶縁容器の他方側端部を閉塞する可動側端板と、前記固定側端板を貫通して配設された固定側通電軸の先端部に設けられた固定側電極と、前記可動側端板を貫通して配設された可動側通電軸の先端部に前記固定側電極と相対向して設けられた可動側電極と、前記絶縁容器の端部より内方側で前記絶縁容器の端部側の内周面より内周側に突出する段部と、前記固定側電極と前記可動側電極の周囲を囲繞するように配設され、端部は前記段部のある範囲内に配置されたアークシールドと、前記固定側端板に取り付けられ前記絶縁容器の端部に前記アークシールドと相対向するように配置され、前記絶縁容器の前記内周面から内径側に離れるように傾斜部を有し、前記傾斜部の先端部は前記段部より内径側に位置する第１の電界緩和シールドと、前記可動側端板に取り付けられ前記絶縁容器の端部に前記アークシールドと相対向するように配置され、前記絶縁容器の前記内周面から内径側に離れるように傾斜部を有し、前記傾斜部の先端部は前記段部より内径側に位置する第２の電界緩和シールドとを備えたことを特徴とする真空バルブ。
【請求項３】
前記段部の前記絶縁容器の端部側はテーパ部が形成されたことを特徴とすることを請求項1または請求項２に記載の真空バルブ。
【請求項４】
前記段部のテーパ部に前記第１の電界緩和シールドまたは前記第２の電界緩和シールドの傾斜部を対応させたことを特徴とする請求項３に記載の真空バルブ。
【請求項５】
前記絶縁容器は２個の絶縁容器により構成されたことを特徴とする請求項１ないし請求項４のいずれか１項に記載の真空バルブ。
【請求項６】
前記アークシールドは２個のアークシールドにより構成されたことを特徴とする請求項１ないし請求項５のいずれか１項に記載の真空バルブ。
【請求項７】
筒状からなる第１の絶縁容器と、筒状からなる第２の絶縁容器と、前記第１の絶縁容器の一方側端部を閉塞する固定側端板と、前記第２の絶縁容器の一方側端部を閉塞する可動側端板と、前記第１の絶縁容器の他方側と前記第２の絶縁容器の他方側との間に配設された金属容器と、前記固定側端板を貫通して配設された固定側通電軸の先端部に設けられた前記金属容器内に位置する固定側電極と、前記可動側端板を貫通して配設された可動側通電軸の先端部に前記固定側電極と相対向して設けられた前記金属容器内に位置する可動側電極と、前記第１の絶縁容器の端部より内方側で前記第１の絶縁容器の端部側内周面より内周側に突出する第１の段部と、前記第２の絶縁容器の端部より内方側で前記第２の絶縁容器の端部側内周面より内周側に突出する第２の段部と、一方側が前記金属容器に接続され他方側端部は前記第１の段部のある範囲内に配置された第１のアークシールドと、一方側が前記金属容器に接続され他方側端部は前記第２の段部のある範囲内に配置された第２のアークシールドと、前記固定側端板に取り付けられ前記第１の絶縁容器の端部に前記第１のアークシールドと相対向するように配置され、前記第１の絶縁容器の内周面から内径側に離れるように傾斜部を有し、前記傾斜部の先端部は前記第１の段部より内径側に位置する第１の電界緩和シールドと、前記可動側端板に取り付けられ前記第２の絶縁容器の端部に前記第２のアークシールドと相対向するように配置された第２の電界緩和シールドとを備えたことを特徴とする真空バルブ。
【請求項８】
筒状からなる第１の絶縁容器と、筒状からなる第２の絶縁容器と、前記第１の絶縁容器の一方側端部を閉塞する固定側端板と、前記第２の絶縁容器の一方側端部を閉塞する可動側端板と、前記第１の絶縁容器の他方側と前記第２の絶縁容器の他方側との間に配設された金属容器と、前記固定側端板を貫通して配設された固定側通電軸の先端部に設けられた前記金属容器内に位置する固定側電極と、前記可動側端板を貫通して配設された可動側通電軸の先端部に前記固定側電極と相対向して設けられた前記金属容器内に位置する可動側電極と、前記第１の絶縁容器の端部より内方側で前記第１の絶縁容器の端部側内周面より内周側に突出する第１の段部と、前記第２の絶縁容器の端部より内方側で前記第２の絶縁容器の端部側内周面より内周側に突出する第２の段部と、一方側が前記金属容器に接続され他方側端部は前記第１の段部のある範囲内に配置された第１のアークシールドと、一方側が前記金属容器に接続され他方側端部は前記第２の段部のある範囲内に配置された第２のアークシールドと、前記固定側端板に取り付けられ前記第１の絶縁容器の端部に前記第１のアークシールドと相対向するように配置され、前記第１の絶縁容器の内周面から内径側に離れるように傾斜部を有し、前記傾斜部の先端部は前記第１の段部より内径側に位置する第１の電界緩和シールドと、前記可動側端板に取り付けられ前記第２の絶縁容器の端部に前記第２のアークシールドと相対向するように配置され、前記第２の絶縁容器の内周面から内径側に離れるように傾斜部を有し、前記傾斜部の先端部は前記第２の段部より内径側に位置する第２の電界緩和シールドとを備えたことを特徴とする真空バルブ。
【請求項９】
前記第１の段部の前記第１の絶縁容器の端部側はテーパ部が形成され、前記第２の段部の前記第２の絶縁容器の端部側はテーパ部が形成されたことを特徴とすることを請求項７または請求項８に記載の真空バルブ。
【請求項１０】
前記第１の段部のテーパ部に前記第１の電界緩和シールドの傾斜部を対応させ、前記第２の段部のテーパ部に前記第２の電界緩和シールドの傾斜部を対応させたことを特徴とする請求項９に記載の真空バルブ。
【請求項１１】
前記第１のアークシールドに前記第１の段部のテーパ部に対応する傾斜部を設け、前記第２のアークシールドに前記第２の段部のテーパ部に対応する傾斜部を設けたことを特徴とする請求項９または請求項１０に記載の真空バルブ。
【手続補正２】
【補正対象書類名】明細書
【補正対象項目名】０００９
【補正方法】変更
【補正の内容】
【０００９】
この発明に係わる真空バルブは、筒状からなる絶縁容器と、前記絶縁容器の一方側端部を閉塞する固定側端板と、前記絶縁容器の他方側端部を閉塞する可動側端板と、前記固定側端板を貫通して配設された固定側通電軸の先端部に設けられた固定側電極と、前記可動側端板を貫通して配設された可動側通電軸の先端部に前記固定側電極と相対向して設けられた可動側電極と、前記絶縁容器の端部より内方側で前記絶縁容器の端部側の内周面より内周側に突出する段部と、前記固定側電極と前記可動側電極の周囲を囲繞するように配設され、端部は前記段部のある範囲内に配置されたアークシールドと、前記固定側端板に取り付けられ前記絶縁容器の端部に前記アークシールドと相対向するように配置され、前記絶縁容器の前記内周面から内径側に離れるように傾斜部を有し、前記傾斜部の先端部は前記段部より内径側に位置する第１の電界緩和シールドと、前記可動側端板に取り付けられ前記絶縁容器の端部に前記アークシールドと相対向するように配置された第２の電界緩和シールドとを備えたものである。
【手続補正３】
【補正対象書類名】明細書
【補正対象項目名】００１０
【補正方法】変更
【補正の内容】
【００１０】
また、この発明に係わる真空バルブは、筒状からなる絶縁容器と、前記絶縁容器の一方側端部を閉塞する固定側端板と、前記絶縁容器の他方側端部を閉塞する可動側端板と、前記固定側端板を貫通して配設された固定側通電軸の先端部に設けられた固定側電極と、前記可動側端板を貫通して配設された可動側通電軸の先端部に前記固定側電極と相対向して設けられた可動側電極と、前記絶縁容器の端部より内方側で前記絶縁容器の端部側の内周面より内周側に突出する段部と、前記固定側電極と前記可動側電極の周囲を囲繞するように配設され、端部は前記段部のある範囲内に配置されたアークシールドと、前記固定側端板に取り付けられ前記絶縁容器の端部に前記アークシールドと相対向するように配置され、前記絶縁容器の前記内周面から内径側に離れるように傾斜部を有し、前記傾斜部の先端部は前記段部より内径側に位置する第１の電界緩和シールドと、前記可動側端板に取り付けられ前記絶縁容器の端部に前記アークシールドと相対向するように配置され、前記絶縁容器の前記内周面から内径側に離れるように傾斜部を有し、前記傾斜部の先端部は前記段部より内径側に位置する第２の電界緩和シールドとを備えたものである。
【手続補正４】
【補正対象書類名】明細書
【補正対象項目名】００１１
【補正方法】変更
【補正の内容】
【００１１】
また、この発明に係わる真空バルブは、筒状からなる第１の絶縁容器と、筒状からなる第２の絶縁容器と、前記第１の絶縁容器の一方側端部を閉塞する固定側端板と、前記第２の絶縁容器の一方側端部を閉塞する可動側端板と、前記第１の絶縁容器の他方側と前記第２の絶縁容器の他方側との間に配設された金属容器と、前記固定側端板を貫通して配設された固定側通電軸の先端部に設けられた前記金属容器内に位置する固定側電極と、前記可動側端板を貫通して配設された可動側通電軸の先端部に前記固定側電極と相対向して設けられた前記金属容器内に位置する可動側電極と、前記第１の絶縁容器の端部より内方側で前記第１の絶縁容器の端部側内周面より内周側に突出する第１の段部と、前記第２の絶縁容器の端部より内方側で前記第２の絶縁容器の端部側内周面より内周側に突出する第２の段部と、一方側が前記金属容器に接続され他方側端部は前記第１の段部のある範囲内に配置された第１のアークシールドと、一方側が前記金属容器に接続され他方側端部は前記第２の段部のある範囲内に配置された第２のアークシールドと、前記固定側端板に取り付けられ前記第１の絶縁容器の端部に前記第１のアークシールドと相対向するように配置され、前記第１の絶縁容器の内周面から内径側に離れるように傾斜部を有し、前記傾斜部の先端部は前記第１の段部より内径側に位置する第１の電界緩和シールドと、前記可動側端板に取り付けられ前記第２の絶縁容器の端部に前記第２のアークシールドと相対向するように配置された第２の電界緩和シールドとを備えたものである。
【手続補正５】
【補正対象書類名】明細書
【補正対象項目名】００１２
【補正方法】変更
【補正の内容】
【００１２】
また、この発明に係わる真空バルブは、筒状からなる第１の絶縁容器と、筒状からなる第２の絶縁容器と、前記第１の絶縁容器の一方側端部を閉塞する固定側端板と、前記第２の絶縁容器の一方側端部を閉塞する可動側端板と、前記第１の絶縁容器の他方側と前記第２の絶縁容器の他方側との間に配設された金属容器と、前記固定側端板を貫通して配設された固定側通電軸の先端部に設けられた前記金属容器内に位置する固定側電極と、前記可動側端板を貫通して配設された可動側通電軸の先端部に前記固定側電極と相対向して設けられた前記金属容器内に位置する可動側電極と、前記第１の絶縁容器の端部より内方側で前記第１の絶縁容器の端部側内周面より内周側に突出する第１の段部と、前記第２の絶縁容器の端部より内方側で前記第２の絶縁容器の端部側内周面より内周側に突出する第２の段部と、一方側が前記金属容器に接続され他方側端部は前記第１の段部のある範囲内に配置された第１のアークシールドと、一方側が前記金属容器に接続され他方側端部は前記第２の段部のある範囲内に配置された第２のアークシールドと、前記固定側端板に取り付けられ前記第１の絶縁容器の端部に前記第１のアークシールドと相対向するように配置され、前記第１の絶縁容器の内周面から内径側に離れるように傾斜部を有し、前記傾斜部の先端部は前記第１の段部より内径側に位置する第１の電界緩和シールドと、前記可動側端板に取り付けられ前記第２の絶縁容器の端部に前記第２のアークシールドと相対向するように配置され、前記第２の絶縁容器の内周面から内径側に離れるように傾斜部を有し、前記傾斜部の先端部は前記第２の段部より内径側に位置する第２の電界緩和シールドとを備えたものである。